(57)【要約】      （修正有）【課題】ネックレスの装飾性を殺がれず、また、手の使用も制限されずに携帯電話機等の携帯機器を持ち運ぶことのできる携帯機器ケースを提供する。【解決手段】携帯機器ケース１を、携帯機器収納部２を有する動物のぬいぐるみ状に形成されたケース本体部３と、ケース本体部３に取り付けられていて該ケース本体部３を取付箇所に取り付けるクリップ４と、で構成した。クリップ４でケース本体部３を腕やバッグに取り付けて携帯可能にした。【選択図】図１
0003144406.tif 000002
【実用新案登録請求の範囲】
【請求項１】
携帯機器収納部を有する動物のぬいぐるみ状に形成されたケース本体部と、ケース本体部に取り付けられていて該ケース本体部を所望の取付箇所に取り付けるクリップと、で構成したことを特徴とする携帯機器ケース。
【請求項２】
上記クリップは、取付箇所を挟む一対の挟着部材と、これら一対の挟着部材の一端側を開閉回動可能に連結している軸と、該軸を中心にして上記一対の挟着部材に閉じ方向の回動力を付与しているバネ材と、で構成されていることを特徴とする請求項１に記載の携帯機器ケース。
【請求項３】
上記一対の挟着部材は、閉じられた状態でリング状になるように円弧状に形成されていることを特徴とする請求項２に記載の携帯機器ケース。
【請求項４】
上記クリップは、上記動物のぬいぐるみ状のケース本体部の首輪として、首の周囲に巻き付け可能になっていることを特徴とする請求項１に記載の携帯機器ケース。
【考案の詳細な説明】
【技術分野】
【０００１】
本考案は、若者、特に女子中学生や高校生等の若い女性が携帯電話機や携帯オーディオ機器等を持ち運ぶのに使用する携帯機器ケースに関するものである。
【背景技術】
【０００２】
図６に示すように、携帯電話機１０１を携帯する際に使用する携帯機器ケース１０２として、ウエストベルト１０３に取り付けて使用するものが知られている。（例えば、特許文献１参照）。しかし、上記携帯電話機用ケース１０２は、所謂小父さん向きのものであって、女子中学生や高校生等の若い女性向きのものではない。
【０００３】
若い女性向きの携帯電話機用ケースとして、図７（Ａ）に示すように、ぬいぐるみ１１１の腹の部分に携帯電話機収納部１１２を設け、該携帯電話機収納部１１２に収納した携帯電話機１０１のアンテナ１０１ａとストラップ１０１ｂをアンテナ用孔１１３とストラップ用孔１１４から外部に引き出すとともに、図７（Ｂ）に示すように、背中の部分にバックル１１５を設け、該バックル１１５にネックストラップ１１６を着脱自在に取り付け、該ネックストラップ１１６で首に掛けて持ち運べるようにした携帯電話機用ケース１１７が開発されている。（例えば、特許文献２参照）。
【特許文献１】特開平２００３−２３０４１９
【特許文献２】特開２００１−６９２２０
【考案の開示】
【考案が解決しようとする課題】
【０００４】
ところで、上記携帯電話機用ケース１１７は、文字通りネックストラップ１１６を首に掛けて使用するものであるため、首元をネックレスで飾っている場合に、ネックストラップ１１６によって、ネックレスの装飾性を殺がれてしまう。ネックレスの装飾性を殺がれないようにするためには、ネックストラップ１１６を手首に掛けて持ち歩くことも考えられるが、手首に掛けた場合には、手の使用が制限されてしまうという問題点があった。
【０００５】
本考案の目的は、ネックレスの装飾性を殺がれず、また、手の使用も制限されずに携帯電話機等の携帯機器を持ち運ぶことのできる携帯機器ケースを提供することにある。
【課題を解決するための手段】
【０００６】
請求項１の考案は、携帯機器ケースを、携帯機器収納部を有する動物のぬいぐるみ状に形成されたケース本体部と、ケース本体部に取り付けられていて該ケース本体部を取付箇所に取り付けるクリップと、で構成した。
【０００７】
請求項２の考案は、請求項１に記載の携帯機器ケースにおいて、上記クリップを、取付箇所を挟む一対の挟着部材と、これら一対の挟着部材の一端側を開閉回動可能に連結している軸と、該軸を中心にして上記一対の挟着部材に閉じ方向の回動力を付与しているバネ材と、で構成した。
【０００８】
請求項３の考案は、請求項２に記載の携帯機器ケースにおいて、上記一対の挟着部材を、閉じられた状態でリング状になるように円弧状に形成した。
【０００９】
請求項４の考案は、請求項３に記載の携帯機器ケースにおいて、上記クリップは、上記動物のぬいぐるみ状のケース本体部の首輪として、首の周囲に巻き付け可能にした。
【考案の効果】
【００１０】
（１）請求項１の携帯機器ケースは、携帯電話機等を収納した動物のぬいぐるみ状のケース本体部をクリップによって腕等に取り付けて、一種のアクセサリーのようにして、携帯電話機等を持ち運びすることができる。
（２）請求項２の携帯機器ケースは、クリップで取付箇所を挟んで、ケース本体部を腕やバッグ等に簡単、容易に取り付けることができる。腕に取り付けることにより、手を自由に使うことができる。
（３）請求項３の携帯機器ケースは、クリップを円弧状の一対の挟着部材で形成したので、これら一対の挟着部材によって腕等を挟んだ状態でケース本体部を確実、容易に腕等に取り付けることができる。
（４）請求項４の携帯機器ケースは、携帯しない時には、クリップを動物のぬいぐるみ状のケース本体部の首に巻き付けることにより、クリップを動物のぬいぐるみの首輪の如く使用することにより、ぬいぐるみの体裁を損なわないようにすることができる。そして、携帯する時には、クリップを首から外して腕等に取り付けるのに使用する。
【考案を実施するための最良の形態】
【００１１】
図１〜図４は本考案の携帯機器ケース１の第１実施例を示し、図１は携帯機器収納部２を有する動物のぬいぐるみ状に形成されたケース本体部３の首にクリップ４を首輪として巻き付けた状態を示す斜視図、図２はケース本体部３の首からクリップ４を外した状態を示す斜視図、図３はクリップ４を使用してケース本体部３を若い女性の腕に取り付けた状態を示す斜視図、図４はクリップ４を使用してケース本体部３をバッグに取り付けた状態を示す斜視図である。
【００１２】
上記ケース本体部３は、犬のぬいぐるみとして形成されていて、腹部に携帯機器収納部２が形成されている。
【００１３】
上記ケース本体部３は、クリップ４によって人の腕やバッグに取り付けられる。上記クリップ４は、人の腕等を挟むことのできる一対の挟着部材５，６と、これら一対の挟着部材５，６を開閉可能に連結している軸７と、該軸７を中心にして上記一対の挟着部材５，６に閉じ方向の回動力を付与しているバネ材８と、で構成されている。
【００１４】
上記一対の挟着部材５，６は、閉じられた状態でリング状になるように円弧状に形成されている。
【００１５】
上記クリップ４は、ケース本体部３の腹部に設けたクリップ保持部９に回動可能に取り付けられていて、図１に示すように、ケース本体部３の首に首輪として取り付け、或いは図２に示すように、ケース本体部３の首から抜き取ることが可能になっている。
【００１６】
次に、上記携帯機器ケース１の使用方法について説明する。携帯機器ケース１を持ち歩かない場合には、図１に示すように、クリップ４をケース本体部３の首に巻き付けておけば、クリップ４は、首輪になり、クリップ４が犬のぬいぐるみとしての体裁を損なうのを防止する。そして、上記携帯機器収納部２に図示を省略した携帯電話機を収納しておくことができる。
【００１７】
また、外出する際などには、図２に示すように、クリップ４を首から抜き出し、２点鎖線で示すように、一対の挟着部材５，６の先端部を押し広げて、図３に示すように、使用者１１の腕１２に取り付け、或いは図４に示すように、バッグ１３に取り付ける。
【００１８】
クリップ４の直径は、使用者１１の腕１２の太さよりも若干、小径に形成されていて、腕１２に取り付けた時に、一対の挟着部材５，６の先端部が若干、開くようにして、上記バネ材８のバネ力で一対の挟着部材５，６を腕１２の周面に圧着させることにより、クリップ４が腕１２からズレ落ちるのを抑制可能にする。
【００１９】
図５は第２実施例を示す。この実施例において、クリップ４Ａは、プラスチック等の弾性を有する素材によって略半円形状に一体的に形成されている。そして、上記クリップ４Ａは、ケース本体部３の左右の前足３ａ，３ｂに埋め込まれた状態で組みつけられていて、上記クリップ４Ａのバネ力で上記左右の前足３ａ，３ｂで腕等に抱きつけるようにして取り付けられる。その他の構成は、第１実施例と同じである。
【００２０】
なお、上記実施例では、ケース本体部３を犬のぬいぐるみに形成した場合を示したが、ケース本体部３は、その他の動物、例えば、猫やパンダ、ライオン等の動物のぬいぐるみであってもよいし、人形であってもよい。また、実施例では、携帯機器収納部２をケース本体部３の腹部に設けた場合を示したが背部に設けてもよい。また、携帯機器収納部２に収納した携帯電話機が落下しないように、携帯機器収納部２の開口部に蓋カバーを設けてもよい。また、上記実施例では、上記クリップ保持部９をケース本体部３の腹部に設けた場合を示したが背部に設けてもよい。また、携帯機器収納部２に収納する携帯機器は、携帯電話機に限らず携帯用ゲーム機や携帯用オーディオ機器等であってもよい。
【図面の簡単な説明】
【００２１】
【図１】ケース本体部の首にクリップを首輪として巻き付けた状態を示す斜視図。
【図２】ケース本体部の首からクリップを外した状態を示す斜視図。
【図３】クリップでケース本体部を女性の腕に取り付けた状態を示す斜視図。
【図４】クリップでケース本体部をバッグに取り付けた状態を示す斜視図。
【図５】他の実施例の説明図。
【図６】従来例の説明図。
【図７】（Ａ）は他の従来例の正面図、（Ｂ）は他の従来例の背面図。
【符号の説明】
【００２２】
１…携帯機器ケース
２…携帯機器収納部
３…ケース本体部
４，４Ａ…クリップ
５，６…一対の挟着部材
７…軸
８…バネ材
９…クリップ保持部
１１…使用者
１２…腕
１３…バッグ
【図１】
0003144406.tif 000003
【図２】
0003144406.tif 000004
【図３】
0003144406.tif 000005
【図４】
0003144406.tif 000006
【図５】
0003144406.tif 000007
【図６】
0003144406.tif 000008
【図７】
0003144406.tif 000009